(57)【要約】      （修正有）【課題】間仕切り支柱に設けた間仕切りパネル組み込み用の凹溝を塞ぎ板で塞ぐにあたり、簡単な押し込み操作で組み込める取付構造を提供する。【解決手段】塞ぎ板脚片６ｂに、支柱凸部先端１ｇ位置よりも幅方向外側に位置していて凸部先端１ｇに圧入取り付けされる圧入取り付け部６ｄと、該圧入取り付け部６ｄから幅方向内側になるよう傾斜状に続き、凸部先端１ｇが長さ方向に移動調整可能な状態で仮保持をする仮保持部６ｅと、該仮保持部６ｅに続く状態で幅方向外側に突出していて凸部先端１ｇが乗り越える寸法設定になった乗り越え部６ｆとが脚先端側に向けて順次形成されていて、塞ぎ板脚片６ｂを凹溝に当てがった状態で表面部６ａを押し込むことにより、乗り越え部６ｆを乗り越えた凸部先端１ｇが仮保持部６ｅを経て圧入取り付け部６ｄに至ることで塞ぎ板６が支柱１の凹溝を塞ぐようにして取り付けられる構成にする。【選択図】図５
2015140606.tif 000002
【特許請求の範囲】
【請求項１】
建材表面に形成される凹溝の幅方向両端縁部には一対の凸部が対向して形成される一方、板状材には、凹溝を覆蓋する表面部と、該表面部の幅方向両側部から延設されていて凸部間に嵌入することで板状材を凹溝に取り付けるための一対の脚片とが形成されたものとするにあたり、脚片には、前記凸部先端位置よりも幅方向外側に位置していて凸部先端に圧入取り付けされる圧入取り付け部と、該圧入取り付け部から幅方向内側になるよう傾斜状に続き、長さ方向に移動調整可能な状態で凸部先端の仮保持をする仮保持部と、該仮保持部に続く状態で幅方向外側に突出していて凸部先端を乗り越える寸法設定になった乗り越え部とが脚片先端側に向けて順次形成されていて、板状材脚片を凹溝に当てがった状態で表面部を押し込むことにより、乗り越え部を乗り越えた状態になった凸部先端が仮保持部を経て圧入取り付け部に相対的に至ることで板状材が建材表面に取り付けられるように構成したことを特徴とする建材表面への板状材の取り付け構造。
【請求項２】
板状材の表面部は、表裏面が波板状になっていることを特徴とする請求項１記載の建材表面への板状材の取り付け構造。
【請求項３】
板状材の脚片には、仮保持部から続く状態で乗り越え部よりも脚片先端側に延出していて凸部内に遊嵌するガイド部が形成されていることを特徴とする請求項１または２記載の建材表面への板状材の取り付け構造。
【請求項４】
乗り越え部は、突出端が弧状になっていることを特徴とする請求項１乃至３の何れか１記載の建材表面への板状材の取り付け構造。
【発明の詳細な説明】
【技術分野】
【０００１】
本発明は、間仕切り支柱の表面、ドアパネル等のパネル表面等の各種の建材表面への板状材の取り付け構造の技術分野に関するものである。
【背景技術】
【０００２】
一般に、建材として間仕切り支柱を例にして説明すると、部屋を間仕切りする場合に、間仕切りパネルを用いて平面状（直線状）に間仕切りする仕様、Ｌ字形に間仕切りする仕様、Ｔ字形に間仕切りする仕様、十文字状に間仕切りする仕様等の各種の間仕切り仕様があり、このような間仕切りをする場合に、平面状の間仕切りをする場合が一般に多く、そこで対向する二表面に凹溝が形成された間仕切り支柱を用いて間仕切りパネルを組み込むようにしているが、このような間仕切り支柱を、間仕切り端部用やＬ字状間仕切り用の支柱として用いた場合や、欄間部分を開口したままにする場合等において、間仕切りパネルが組み込まれない凹溝が発生し、このような凹溝をそのままにしておくことは好ましくなく、そこで使用しない凹溝を塞ぎ板（飾り板）である板状材を取り付けて塞ぐようにすることが試みられている。
このような場合の塞ぎ板の取り付け構造として、凹溝の内壁面に係止溝を形成する一方、塞ぎ板の幅方向両端縁に、係止溝に嵌入係止する係止凸部が形成された脚片を形成し、そして係止凸部を凹溝内壁面に一気に無理嵌め状に嵌入させることにより塞ぎ板を組み付けるようにしたもの（例えば特許文献１、２参照）や、塞ぎ板を、幅方向一端縁を凹溝に係止させた状態で、幅方向中間部に弾性変形を許容するべく設けた突出長の長い中間脚片に形成の係止部を凹溝に設けた係止受け部に係止させるようにしたもの（特許文献３参照）が知られている。
【先行技術文献】
【特許文献】
【０００３】
【特許文献１】特開２０１０-１０６５８７号公報
【特許文献２】実公平６−１９４５号公報
【特許文献３】特開平７−３００９２２号公報
【発明の概要】
【発明が解決しようとする課題】
【０００４】
ところが前者のものは、間仕切り支柱、塞ぎ板の材質がプラスチック材である場合には、プラスチック材の弾性変形により前記無理嵌めが簡単に許容されるが、材質がアルミニウムのように硬いものである場合、プラスチック材のような弾性変形による一気の無理嵌めを期待することはできず、そこでこのような硬いものでは、塞ぎ板の表面に当て板をあてがった状態でハンマーで当て板を強く叩いた衝撃で脚片を凹溝に一気に無理嵌めするようにしているが、その際に大きな衝撃音が騒音として発生するだけでなく、当て板をハンマーで叩いたときに係止凸部が表面側に破損変形して嵌め込み不良の部位が発生することがあり、このようになると塞ぎ板の表面仕上がりが不良状態となるが、このように不良状態が発生したとしても、一旦無理嵌めした塞ぎ板は、間仕切り支柱から取り外すことは事実上できず、塞ぎ板を交換する場合に、間仕切り支柱も含めて全取換えしなければならない場合があるという問題がある。
一方、後者のものは、中間脚片を設けなければならないため、その分、塞ぎ板の構造が複雑になるという問題があり、これらに本発明の解決すべき課題がある。
【課題を解決するための手段】
【０００５】
本発明は、上記の如き実情に鑑みこれらの課題を解決することを目的として創作されたものであって、請求項１の発明は、建材表面に形成される凹溝の幅方向両端縁部には一対の凸部が対向して形成される一方、板状材には、凹溝を覆蓋する表面部と、該表面部の幅方向両側部から延設されていて凸部間に嵌入することで板状材を凹溝に取り付けるための一対の脚片とが形成されたものとするにあたり、脚片には、前記凸部先端位置よりも幅方向外側に位置していて凸部先端に圧入取り付けされる圧入取り付け部と、該圧入取り付け部から幅方向内側になるよう傾斜状に続き、長さ方向に移動調整可能な状態で凸部先端の仮保持をする仮保持部と、該仮保持部に続く状態で幅方向外側に突出していて凸部先端を乗り越える寸法設定になった乗り越え部とが脚片先端側に向けて順次形成されていて、板状材脚片を凹溝に当てがった状態で表面部を押し込むことにより、乗り越え部を乗り越えた状態になった凸部先端が仮保持部を経て圧入取り付け部に相対的に至ることで板状材が建材表面に取り付けられるように構成したことを特徴とする建材表面への板状材の取り付け構造である。
請求項２の発明は、板状材の表面部は、表裏面が波板状になっていることを特徴とする請求項１記載の建材表面への板状材の取り付け構造である。
請求項３の発明は、板状材の脚片には、仮保持部から続く状態で乗り越え部よりも脚片先端側に延出していて凸部内に遊嵌するガイド部が形成されていることを特徴とする請求項１または２記載の建材表面への板状材の取り付け構造である。
請求項４の発明は、乗り越え部は、突出端が弧状になっていることを特徴とする請求項１乃至３の何れか１記載の建材表面への板状材の取り付け構造である。
【発明の効果】
【０００６】
請求項１の発明とすることにより、板状材の脚片は、板状材を押し込んだとき脚片の途中で仮保持部を通る分、長いものとなって弾性変形しやすく、この結果、凸部先端が乗り越え部を乗り越えやすいものとなって軽い押し込み力で板状材の取り付けができることになって、仮にハンマーで叩きこむ作業をしたとしても強い叩き力が必要になることがなく、騒音発生を未然に防ぐことができながら、脚部が一対のみの板状材にできることになって、板状材の構造が複雑になることはない。しかも凸部先端が仮保持部に位置する仮保持状態のときには板状材を建材に対して長さ方向に位置調整することができることになって、正確な位置での取り付けができることになる。
請求項２の発明とすることにより、板状材表面部の表裏面が波板状となっていることで板状材の弾性変形が助長され、これによって板状材の凹溝への取り付けがより容易になる。
請求項３の発明とすることにより、板状材を取り付けるにあたり、まずガイド部を凸部間に嵌め込んだ状態で板状材を押し込めばよいことになって、板状材の取り付けがより容易になる。
請求項４の発明とすることにより、凸部先端が仮保持部に位置する状態で板状材を凹溝から引き出すよう作業することで、板状材を取り外すことができ、この結果、板状材のみを凹溝から取り外して交換する作業ができることになってメンテナンス性が向上する。
【図面の簡単な説明】
【０００７】
【図１】（Ａ）〜（Ｄ）は端部仕様、Ｌ字形仕様、Ｔ字形仕様、十字形仕様の間仕切りをした場合を示す水平断面図である。
【図２】Ｌ字状間仕切り仕様の拡大水平断面図である。
【図３】（Ａ）（Ｂ）（Ｃ）（Ｄ）は間仕切り支柱の水平断面図、塞ぎ板の水平断面図、塞ぎ板の部分拡大水平断面図、補助材の水平断面図である。
【図４】（Ａ）〜（Ｆ）は塞ぎ板を間仕切り支柱に取り付ける工程を示す水平断面図である。
【図５】（Ａ）〜（Ｆ）は塞ぎ板を間仕切り支柱に取り付ける工程を示す部分拡大水平断面図である。
【図６】第二の実施の形態を示すものであって、間仕切りパネルをガラス板とした場合のガラス板の間仕切り支柱への取り付け状態を示す拡大水平断面図である。
【図７】第三の実施の形態を示すものであって、ドアパネル表面に飾り板を取り付けた状態の部分水平断面図である。
【発明を実施するための形態】
【０００８】
以下、本発明の実施の形態について、図面に基づいて説明する。図面において、１は間仕切り支柱であって、該間仕切り支柱１は、四角筒形状をしたアルミニウム製の型材で形成されたものであり、対向する一対の表面部（第一表面部）１ａは、各一対のコーナー部１ｂから支柱１の内部スペースＳ側に向けて傾斜状に没入した傾斜片１ｃのあいだに平板状に形成されることで凹溝Ｘ状になっている。
さらに前記コーナー部１ｂからは、傾斜片１ｃを覆蓋する状態で凸片１ｄが幅方向内側に向けて延出形成され、該凸片１ｄの先端部には、表面部１ａ側に向けて折曲したものがさらに第一表面部１ａと平行になる状態で幅方向内側に向けて折曲されることで段差面部１ｈを有する状態で凸部１ｅが形成されている。
また支柱１の対向する残りの二面である第二表面部１ｆは一対のコーナー部１ｂを連結する状態で形成され、その表面は波板形状になっている。
【０００９】
２は間仕切りパネルであって、該間仕切りパネル２は、第一表面部１ａに取り付けられる場合と、第二表面部１ｆに取り付けられる場合とがあるが、第一表面部１ａに取り付けられる場合、間仕切りパネル２の端部２ａが対向する凸部１ｅ間に嵌入組み込みされるようになっている。尚、３は床面に取り付け支持され、間仕切りパネル１の下端縁を嵌合支持している巾木であって、該巾木３の端部３ａは凸部１ｅの段差面部１ｈに突き当て嵌合する構成になっている。
【００１０】
一方、第二表面部１ｆに取り付けられる場合、該第二表面部１ｆは、第一表面部１ａのように凹溝状になっておらず、そこで補助材４を介して取り付けられるようになっている。補助材４は、同じくアルミニウム製の型材であり、第二表面部１ｆにビス５を介して固定される底板４ａと、該底板４ａの幅方向両端縁に起立状に形成される起立片４ｂと、該起立片４ｂの先端から内方に向けて折曲形成される凸片４ｃとにより形成されることで凹溝状になっているが、凸片４ｃは、第一表面部突片１ｄと同様段差面部４ｄが形成されている。そして間仕切りパネル２は、前記ビス５によって第二表面部１ｆに固定された補助材４の凹溝部に嵌入組み込みされるようになっている。尚、巾木３の構成は前述したものと同様である。
【００１１】
６は間仕切り支柱１の間仕切りパネル２が嵌入組み込みされなかった凹溝状の第一表面部１ａを塞ぐための塞ぎ板（飾り板、本発明の「板状材」に相当する）であって、該塞ぎ板６は、表裏面とも波板状になった表面部６ａと、該表面部６ａの幅方向両端部裏面から突出する一対の脚片６ｂとから構成されるが、表面部６ａの幅方向両端部６ｃは、後述するように塞ぎ板６を間仕切り支柱１に取り付けた場合、凸片１ｄの段差面部１ｈに嵌合組み込みされる寸法設定になっている。
一方、一対の脚片６ｂであるが、該一対の脚片６ｂは、幅方向外側面間の寸法Ｂが対向する一対の凸片１ｄの先端１ｇ間の寸法Ａよりも大きい設定（Ａ＜Ｂ）になっていて、塞ぎ板６を間仕切りパネル１に組み込んだ場合に、凸部先端１ｇ間に完全に圧入して固定状態で取り付けされる圧入取り付け部６ｄと、該圧入取り付け部６ｄから脚先端側に続く状態で幅方向内側（脚片対向方向）に向けて傾斜していて、凸部先端１ｇの外側（表面側）コーナー部１ｉが圧入取り付け部６ｄの内側端よりも僅かに脚先端側に当接していて仮保持状に保持されるが、それよりも内側（内面側）コーナー部１ｊ側の部位は凸部先端１ｇ間の寸法Ａよりも小さい寸法設定Ｃ（Ｃ＜Ａ）になっていて遊嵌状態となっている仮保持部６ｅと、該仮保持部６ｅの脚先端側において幅方向外側に向けて突設され、突設端間の寸法Ｄが凸部先端１ｇ間の寸法Ａよりも大きい設定（Ａ＜Ｄ）になっていて、塞ぎ板１を押し込んだ場合に、凸部先端１ｇが乗り越える乗り越え部６ｆと、該仮保持部６ｅの傾斜がそのまま続く状態で乗り越え部６ｆ部位から脚端側に延びていて、塞ぎ板６を支柱１に組み込む場合に凸部先端１ｇに脚片６ｂが嵌入するのをガイドするガイド部６ｇとが順次脚先端側に向けて形成されることにより構成されているが、前記乗り越え部６ｆの先端は断面弧状（半円柱状）になっていて、凸部先端１ｇの出入り方向（表裏方向、内外方向）の乗り越えガイドをするようになっている。出入り方向の乗り越えガイドをさせる場合に、断面山形状であってもよい。
【００１２】
そして間仕切り支柱１と間仕切りパネル２とを用いて間仕切り施工した際に、間仕切りパネル２を嵌め込まなかった部位の第一表面部１ａを塞ぎ板６で塞ぐことになるが、その場合には、図４、５に示すように、まずガイド部６ｇを凸部先端１ｇ間に遊嵌して凸部先端１ｇに乗り越え部６ｆの脚端側部位が当接した当接姿勢（図４（Ａ）、図５（Ａ））とした状態で表面部６ａを押し込んで、乗り越え部６ｆが凸部先端１ｇを乗り越えることになり、これによって凸部先端１ｇが仮保持部６ｅに至る（図４（Ｂ）（Ｃ）、図５（Ｂ）（Ｃ））。この乗り越え時、塞ぎ板６の弾性変形が必要になるが、脚片６ｂは、仮保持部６ｅが形成される分、長くなっていることと、塞ぎ板表面部６ａの表裏両面が波板状になっていることとで弾性変形しやすい形状になっており、これによって乗り越え部６ｆの凸部先端１ｇの乗り越え移動が容易となるように構成されている。
そして凸部先端１ｇが仮保持部６ｅに至った状態（図４（Ｃ）、図５（Ｃ））では、塞ぎ板６は、凸部先端１ｇの外側（表面側）コーナー部１ｉが圧入取り付け部６ｄの内側端よりも僅かに脚先端側に当接していると共に、凸部先端の外側（表面側）コーナー部１ｉよりも内側部分は乗り越え部６ｆの表面部６ａ側面部により抜け止めされた仮保持状態となっており、これによって塞ぎ板６は、間仕切り支柱１に対して長さ方向に移動できることになって、塞ぎ板６の長さ方向の位置調整が可能となる。
次いで塞ぎ板表面部６ａをさらに押し込むと、凸部先端１ｇが仮保持部６ｅから無理嵌めする状態で圧入取り付け部６ｄにまで至り（図４（Ｅ）（Ｆ）、図５（Ｅ）（Ｆ））、幅方向両端部６ｃを凸部段差面部１ｈに当接するまで押し込むことで、塞ぎ板６の支柱凹溝Ｘへの組込みがなされるようになっているが、凸部先端１ｇの仮保持部６ｅから圧入取り付け部６ｄへの圧入は、仮保持部６ｅの傾斜面に案内されながら行われることになってスムーズな取り付けができるようになっている。
【００１３】
因みに、前記説明では、凸部先端１ｇが仮保持部６ｅに至る第一の無理嵌め作業と圧入取り付け部６ｄに至る第二の無理嵌め作業の二段階の押し込み作業で塞ぎ板６の間仕切り支柱１への取り付けを行うようにしたが、塞ぎ板６の位置決めが予めなされているような場合には、一気の押し込み作業で凸部先端１ｇを圧入取り付け部６ｄにまで至らしめるようにして塞ぎ板６の間仕切り支柱１への取り付けをしてもよい。何れの押し込み作業をするに際し、当て板を用いて行ってもよいことは勿論である。
また、凸部先端１ｇが圧入取り付け部６ｄに圧入していて取り付け状態になっている塞ぎ板６を、マイナスのドライバー等の適宜工具を用いて間仕切り支柱１から引き出すことにより、凸部先端１ｇを圧入取り付け部６ｄから引き出して仮保持部６ｅに移動させて仮保持状態にすることができ、さらにはこの状態から凸部先端１ｇを乗り越え部６ｆから乗り越えさせて塞ぎ板６を間仕切り支柱１から取り外すことができる設定になっている。
【００１４】
叙述の如く構成された本実施の形態において、間仕切り支柱１の間仕切りパネル２が取り付けられていない第一表面部１ａを覆蓋すべく凹溝に塞ぎ板６を取り付けるにあたり、ガイド部６ｇを凸部先端１ｇ間に入れて凸部先端１ｇに乗り越え部６ｆの脚先端側部を当てた状態で表面部６ａを押し込むと、塞ぎ板６が弾性変形して脚片６ｂが開き、これによって凸部先端１ｇを乗り越え部６ｆが乗り越えた状態となって仮保持部６ｅに至る。この状態では塞ぎ板６は、長さ方向に移動可能な状態であり、そこで必要において長さ方向に移動させて塞ぎ板６の取り付け位置の位置決め調整をする。この位置決め状態でさらに表面部６ａを押し込んで幅方向両端部６ｃを段差面部１ｈに当接する位置まで無理嵌め移動させると、凸部先端１ｇに圧入取り付け部６ｄが圧入することになり、これによって塞ぎ板６の凹溝への取り付けができることになる。
【００１５】
このように本発明が実施されたものでは、間仕切り支柱１の間仕切りパネル２が組み込まれない凹溝を塞ぎ板６によって塞ぐことになるが、この場合に、塞ぎ板６は、脚片６ｂが塞ぎ板６を押し込んだとき凸部先端１ｇに途中で仮保持部６ｅが通る分だけ長いものとなって弾性変形しやすいものとなる。この結果、凸部先端１ｇに、軽い押し込み力で乗り越え部６ｆが乗り越え、そして凸部先端１ｇが仮保持部６ｅを経て圧入取り付け部６ｄに相対的に至る状態となって塞ぎ板６の間仕切り支柱１への取り付けができることになって、仮にハンマーで叩きこむ作業をしたとしても弱い叩き力でよいことになり、騒音発生を未然に防ぐことができる。
しかも塞ぎ板６は、一対の脚部６ｂを有しただけのもので良いことになって、塞ぎ板６の構造が複雑になることはない。しかも塞ぎ板６は、凸部先端１ｇが仮保持部６ｅに位置する仮保持状態のときには塞ぎ板６を間仕切り支柱１に対して長さ方向に位置調整することができることになるため、正確に位置決めされた状態での塞ぎ板６の取り付けができることになる。
【００１６】
さらにこのものでは、塞ぎ板６の表面部６ａは表裏面が波板状になっているため、塞ぎ板６を間仕切り支柱１に無理嵌めするときの塞ぎ板６の弾性変形が助長されることになって、塞ぎ板６の間仕切り支柱への取り付けが容易になる。
【００１７】
また、塞ぎ板６の脚片６ｂには、仮保持部６ｅから続く状態で乗り越え部６ｆよりも脚先端側に延出していて間仕切り支柱凸部１ｅ間に遊嵌するガイド部６ｇが形成されているため、塞ぎ板６を間仕切り支柱１に取り付けるにあたり、最初にガイド部６ｇを凸部１ｅ間に嵌め込むことで凸部先端１ｇに乗り越え部６ｆの脚先端側面が当接する状態にし、この状態で塞ぎ板６を押し込むことで乗り越え部６ｆは幅方向に位置決めされた状態で凸部先端１ｇを乗り越えることになって仮保持部６ｅが凸部先端１ｇに至ることになって塞ぎ板６の取り付け作業がより容易になる。
そして塞ぎ板６は、脚片６ｂが仮保持部６ｅに至った状態では、先端外側コーナー部１ｉが圧入取り付け部６ｄよりも僅かに脚先端側位置で仮保持部６ｅに当接した仮保持状態となっているため、塞ぎ板６の不用意な長さ方向の移動は規制されるが、軽い操作で長さ方向に移動させることができるため、脚片６ｂを乗り越え部６ｆを無理嵌めして乗り越え作業した後の位置調整ができることになって都合がよい。
【００１８】
さらに乗り越え部６ｆは、突出端が表裏方向に弧状になっているため、乗り越え部６ｆの表裏方向の凸部先端１ｇの乗り越えをガイドができることになって、凸部先端１ｇが仮保持部６ｅに相対的に位置する状態で塞ぎ板６を凹溝から引き出す作業が容易にできることとなって、塞ぎ板６の間仕切り支柱１からの取り外し作業が簡単にでき、この結果、塞ぎ板６のみを間仕切り支柱１から取り外して交換することができることになってメンテナンス性が向上する。
【００１９】
尚、本発明は前記実施の形態のものに限定されないことは勿論であって、間仕切り支柱の表面、ドアパネル等のパネル表面等の各種の建材表面への板状材の取り付け構造として実施することができ、例えば、図６に示す第二の実施の形態のように、間仕切りパネルではなくガラス板７のような板状材を間仕切り支柱１に取り付ける場合のものにも実施することができる。このものにおいて前記第一の実施の形態の間仕切り支柱１を用いた場合、凸部先端１ｇ間の幅Ａが大きすぎてガラス板７の組み込み代とはならず、そこで第一表面部１ａに、前記第一の実施の形態と同様の表面部８ａと脚片８ｂとが形成された板状材である補助板材８を第一表面部１ａに組み込み、該補助板材８の表面部８ａに形成の凹溝８ｃに第一、第二の押し縁９、９ａを介してガラス板７を取り付けるようにしたものであり、またこのものにおいて第二表面部１ｆにガラス板７を取り付ける場合、第一表面部１ａと同一形状をした補助材１０をビス５を介して第二表面部１ｆに取り付け、この補助材１０に前記補助板材８を組み込む構成にして同様のガラス板７の取り付けができるようにしており、このようにすることにより、この第二の実施の形態では、本発明を、第一表面部１ａだけでなく、第二表面部１ｆ側においても実施していることになる。
【００２０】
図７に示す第三の実施の形態のものは、ドアパネル１１のパネル表面部１１ａに板状材である飾り板１２を取り付けた構成のものであって、パネル表面部１１ａに第一、第二の実施の形態のものと同様の凹溝１１ｂを形成し、該凹溝１１ｂに、第一、第二の実施の形態と同様の脚片１２ｂが表面部１２ａに形成された板状材である飾り板１２を取り付けたものであり、このようにしても本発明を実施することができる。
【産業上の利用可能性】
【００２１】
本発明は、間仕切り支柱の表面、ドアパネル等のパネル表面等の各種の建材表面への板状材の取り付け構造の技術分野に利用することができる。
【符号の説明】
【００２２】
１    間仕切り支柱
１ａ  第一表面部
１ｇ  凸部先端
２    間仕切りパネル
６    塞ぎ板
６ａ  表面部
６ｂ  脚片
６ｄ  圧入取り付け部
６ｅ  仮保持部
６ｆ  乗り越え部
６ｇ  ガイド部
【図１】
2015140606.tif 000003
【図２】
2015140606.tif 000004
【図３】
2015140606.tif 000005
【図４】
2015140606.tif 000006
【図５】
2015140606.tif 000007
【図６】
2015140606.tif 000008
【図７】
2015140606.tif 000009